(57)【要約】【課題】本発明の目的は、筐体の小型化を図った電子機器を得ることにある。【解決手段】電子機器１は、第１の開口部１１と第１の開口部１１に隣接する第２の開口部１２とを有する筐体７と、筐体７に着脱自在に取り付けられ、第１の開口部１１を塞ぐ第１の蓋２２と、第１の開口部１１に取り付けられる第１の蓋２２の縁部の少なくとも一部と重なるように筐体７に着脱自在に取り付けられ、第２の開口部１２を塞ぐ第２の蓋２３とを具備する。【選択図】図５
2007179104.tif 000002
【特許請求の範囲】
【請求項１】
第１の開口部と、上記第１の開口部に隣接する第２の開口部とを有する筐体と、
上記筐体に着脱自在に取り付けられ、上記第１の開口部を塞ぐ第１の蓋と、
上記第１の開口部に取り付けられる上記第１の蓋の縁部の少なくとも一部と重なるように上記筐体に着脱自在に取り付けられ、上記第２の開口部を塞ぐ第２の蓋と、
を具備することを特徴とする電子機器。
【請求項２】
請求項１に記載の電子機器において、
上記第１の蓋の縁部は、この第１の蓋の縁部と隣り合う上記第２の蓋の縁部の略全部に亘って重なることを特徴とする電子機器。
【請求項３】
請求項１または請求項２に記載の電子機器において、
上記筐体内に設けられるとともに上記第１の開口部を通じて上記筐体の外部に露出される第１の収容部と、
上記第１の収容部に着脱可能に収容される第１の機能部品と、
上記筐体内に設けられるとともに上記第２の開口部を通じて上記筐体の外部に露出される第２の収容部と、
上記第２の収容部に着脱可能に収容される第２の機能部品と、を備え、
上記第１の蓋は上記第２の蓋に対して上記筐体の外側から重ねられることを特徴とする電子機器。
【請求項４】
請求項３に記載の電子機器において、
上記第１の機能部品は、上記第１の蓋に保持されるとともに、上記第１の蓋の着脱に伴って上記第１の収容部に着脱されることを特徴とする電子機器。
【請求項５】
開口部を有する筐体と、
上記筐体内に設けられ、上記開口部を通じて上記筐体の外部に露出される収容部であって、この収容部を第１の収容部と第２の収容部とに区画する隔壁を有する収容部と、
上記筐体に着脱自在に取り付けられ、上記第１の収容部を覆う第１の蓋と、
上記筐体に着脱自在に取り付けられ、上記第２の収容部を覆う第２の蓋と、を具備し、
上記第１の蓋および上記第２の蓋は、互いに隣り合う端部の少なくとも一部を互いに重ねて配置されることを特徴とする電子機器。
【請求項６】
請求項５に記載の電子機器において、
上記第１の蓋は上記第２の蓋に対して上記筐体の外側から重ねられることを特徴とする
電子機器。
【請求項７】
請求項６に記載の電子機器において、
上記第１の蓋に保持されることで上記第１の蓋の着脱に伴って上記第１の収容部に着脱される第１の機能部品と、
上記第２の収容部に着脱可能に収容される第２の機能部品と、
を備えることを特徴とする電子機器。
【請求項８】
請求項４または請求項７に記載の電子機器において、
上記第１の機能部品はバッテリーであり、上記第２の機能部品は、上記バッテリーから電源を供給されて動作可能な電子部品であることを特徴とする電子機器。
【請求項９】
請求項７に記載の電子機器において、
上記開口部は、上記第１の収容部に隣接する開口縁から上記開口部の内側を向いて延びる第１の支持壁と、上記開口部のなかで上記第２の収容部に隣接する開口縁から上記開口部の内側を向いて延びる第２の支持壁と、を備え、
上記第２の蓋は、上記第２の支持壁から上記隔壁に亘って配置され、上記第１の蓋は、上記隔壁に載置された上記第２の蓋の端部から上記第１の支持壁に亘って配置されることを特徴とする電子機器。
【請求項１０】
請求項９に記載の電子機器において、
上記第２の蓋のなかで上記隔壁に載置された端部の上面は、上記第１の支持壁と略同一面上に位置することを特徴とする電子機器。
【発明の詳細な説明】
【技術分野】
【０００１】
本発明は、着脱自在な蓋で覆われる収容部を有する電子機器に係り、特に蓋の取り付け構造に関する。
【背景技術】
【０００２】
例えばポータブルコンピュータのような電子機器は、筐体内にバッテリー収容部やカード収容部のような収容部を備える。このような収容部は、筐体の外壁に開口する開口部を通じて筐体の外部に露出されている。ユーザーは、この開口部を通じて例えばバッテリーやメモリカードのような機能部品を上記収容部に収容する。
【０００３】
電子機器は、さらに筐体に着脱自在に取り付けられる蓋を有する。蓋は、収容部に機能部品を収容した後に筐体に取り付けられ、上記開口部を塞ぐ。ユーザーは、この蓋を取り外すことで再び収容部を筐体の外部に露出させ、例えばバッテリーの交換やメモリカードの増設などを行うことができる。
【０００４】
このような収容部を有するとともに、筐体内の通気性を高めた情報処理装置が提供されている（例えば、特許文献１参照）。特許文献１に記載の情報処理装置は、バッテリー収容部とカード収容部とを有する。カード収容部は、バッテリー収容部に隣接して設けられている。
【０００５】
この情報処理装置のバッテリー収容部には、バッテリーパックが装着される。バッテリーパックの底壁は、バッテリー収容部の開口部を塞ぐ蓋の機能を果たす。一方、筐体には、カード収容部に対応して蓋が取り付けられ、カード収容部の開口部を塞ぐ。
【０００６】
さらに、バッテリーを取り外さないとＨＤＤ用の蓋が取り外せない情報処理装置が提供されている（例えば、特許文献２参照）。特許文献２に記載のＨＤＤ用の蓋は、バッテリーを取り外さないとバッテリーの端縁に邪魔されて筐体から取り外しできないようになっている。
【特許文献１】特開平１０−１２４１７２号公報
【特許文献２】特開平６−１１９０８２号公報
【発明の開示】
【発明が解決しようとする課題】
【０００７】
例えば特許文献１に記載の情報処理装置では、バッテリーパックの底壁がバッテリー収容部を覆い隠すとともに、蓋がカード収容部を覆い隠す。このバッテリーパックの底壁（以下、バッテリー蓋と呼称）とカード収容部の蓋（以下、カード蓋と呼称）は、互いに並んで筐体に取り付けられる。したがって例えば筐体の下壁は、バッテリー蓋の面積とカード蓋の面積とを足し合わせた面積が蓋として機能する部材に占められることになる。  
例えば特許文献２に記載の情報処理装置においても、筐体はバッテリー蓋の面積とＨＤＤ用の蓋の面積とを足し合わせた面積が蓋として機能する部材に占められることになる。
【０００８】
一方、近年の電子機器はさらに小型化することが要望されている。筐体のなかで大きな面積が蓋として機能する部材に占められていると、筐体の小型化を図ることができず、電子機器を小型化することが難しい。
【０００９】
本発明の目的は、筐体の小型化を図った電子機器を得ることにある。
【課題を解決するための手段】
【００１０】
上記目的を達成するため、本発明の一つの形態に係る電子機器は、第１の開口部と上記第１の開口部に隣接する第２の開口部とを有する筐体と、上記筐体に着脱自在に取り付けられ、上記第１の開口部を塞ぐ第１の蓋と、上記第１の開口部に取り付けられる上記第１の蓋の縁部の少なくとも一部と重なるように上記筐体に着脱自在に取り付けられ、上記第２の開口部を塞ぐ第２の蓋とを具備する。
【発明の効果】
【００１１】
この構成によれば、筐体において蓋が占める面積が小さくなり、筐体の小型化を図ることができる。
【発明を実施するための最良の形態】
【００１２】
以下に本発明の実施の形態を、ポータブルコンピュータに適用した図面に基づいて説明する。  
図１ないし図６は、本発明の一つの実施形態に係る電子機器としてのポータブルコンピュータ１を開示している。図１は、ポータブルコンピュータ１の全体を示す。ポータブルコンピュータ１は、本体２と表示ユニット３とを備えている。
【００１３】
図１に示すように、本体２は、本体ベース５と本体カバー６とを備えている。本体カバー６は、本体ベース５に上方から取り付けられる。本体ベース５と本体カバー６とが協働することで、本体２は、上壁７ａ、前壁７ｂ、左壁７ｃ、右壁７ｄ、後壁７ｅ、および下壁７ｆを有する箱状の筐体７を備える。下壁７ｆは、外壁の一例である。
【００１４】
図１に示すように、表示ユニット３は、ディスプレイハウジング８と、このディスプレイハウジング８に収容された液晶表示パネル９とを備えている。液晶表示パネル９は、表示画面９ａを有している。表示画面９ａは、ディスプレイハウジング８の前面の開口部８ａを通じてディスプレイハウジング８の外部に露出している。
【００１５】
表示ユニット３は、筐体７の後端部に図示しないヒンジ装置を介して支持されている。そのため、表示ユニット３は、上壁７ａを上方から覆うように倒される閉じ位置と、上壁７ａ、および表示画面９ａを露出させるように起立する開き位置との間で回動可能である。
【００１６】
図２に示すように、筐体７は、第１の開口部１１と第２の開口部１２とを有する。第１の開口部１１は、下壁７ｆの前右端部において、筐体７の外部に開口している。第１の開口部１１は、筐体７の前壁７ｂおよび右壁７ｄに沿った矩形状に形成されている。第２の開口部１２は、第１の開口部１１に隣接する下壁７ｆの中央右端部において、筐体７の外部に開口している。第２の開口部１２は、筐体７の右壁７ｄおよび第１の開口部１１に沿った矩形状に形成されている。
【００１７】
第１の開口部１１および第２の開口部１２は、互いに隣り合う端部において連通している。したがって、第１の開口部１１および第２の開口部１２は、互いに協働することで一つの大きな開口部１３を形成している。
【００１８】
図２に示すように、本体２は、収容部２１、バッテリーカバー２２、およびＨＤＤカバー２３を備える。収容部２１は、さらにバッテリー収容部３１とＨＤＤ収容部３２とに区画されている。バッテリー収容部３１は、第１の収容部の一例である。ＨＤＤ収容部３２は、第２の収容部の一例である。バッテリーカバー２２は、第１の蓋の一例である。ＨＤＤカバー２３は、第２の蓋の一例である。
【００１９】
バッテリー収容部３１は、バッテリー３４を着脱可能に収容する。バッテリー３４は、第１の機能部品の一例である。バッテリー収容部３１は、ユーザーが自由に開閉して良い領域、すなわちユーザーに対して開放された領域であり、ユーザーが容易にアクセスすることができる領域である。
【００２０】
バッテリー収容部３１は、筐体７の内部において、筐体７の前右端部に設けられている。すなわちバッテリー収容部３１は、第１の開口部１１に対応して設けられ、第１の開口部１１を通じて筐体７の外部に露出されている。
【００２１】
開口部１３は、第１の支持壁３５を有する。第１の支持壁３５は、開口部１３のなかでバッテリー収容部３１に隣接する開口縁から開口部１３の内側を向いて延びている。第１の支持壁３５は、筐体７の下壁７ｆに比べてバッテリーカバー２２の厚さ分だけ筐体７の厚さ方向の内側に入り込むとともに、筐体７の下壁７ｆに平行に延びている。
【００２２】
バッテリー収容部３１は、底壁３６および側壁３７を有する。底壁３６は、バッテリー収容部３１を筐体７の内部空間から隔てる内壁である。側壁３７は、底壁３６の周縁から第１の支持壁３５を向いて延びるとともに、第１の支持壁３５の先端に繋がっている。
【００２３】
バッテリー収容部３１の側壁３７のなかで筐体７の前壁７ｂに対向する部位には、一対のガイド溝３８ａ，３８ｂが設けられている。ガイド溝３８ａ，３８ｂは、筐体７の厚さ方向に沿って延びている。側壁３７のなかで筐体７の後壁７ｅに対向する部位には、一対の係合凹部３９ａ，３９ｂが設けられている。係合凹部３９ａ，３９ｂは、バッテリー収容部３１の外側を向いて窪む係合穴である。さらにバッテリー収容部３１には電源コネクタ４０が設けられている。バッテリー収容部３１に収容されたバッテリー３４は、電源コネクタ４０に電気的に接続される。
【００２４】
筐体７の前端部には、さらにロック機構４１が設けられている。ロック機構４１は、筐体７に取り付けられたバッテリーカバー２２を、筐体７から外れないように筐体７に固定する。
【００２５】
図２に示すように、ＨＤＤ収容部３２は、ＨＤＤ（Hard Disk Drive）４２を着脱可能に収容する。ＨＤＤ４２は、第２の機能部品の一例である。ＨＤＤ４２は、バッテリー３４に比べて取り外しの頻度が低い部品である。ＨＤＤ４２は、一般にユーザー自身が取り外す部品では無く、ポータブルコンピュータ１の保守時に例えば製造メーカーのような非ユーザーが取り外す部品である。ＨＤＤ収容部３２は、ユーザーが自由に開閉することが好ましくない領域、すなわちユーザーに対して非開放の領域である。
【００２６】
ＨＤＤ４２は、バッテリー３４から電源を供給されて作動しており、バッテリー３４がバッテリー収容部３１から取り外された時、その作動を停止する。ＨＤＤ４２は、バッテリー３４から電源を供給されて動作可能な電子部品の一例である。
【００２７】
ＨＤＤ収容部３２は、筐体７の内部において、筐体７の中央右端部に設けられている。すなわちＨＤＤ収容部３２は、第２の開口部１２に対応して設けられ、第２の開口部１２を通じて筐体７の外部に露出されている。
【００２８】
開口部１３は、第２の支持壁４３を有する。第２の支持壁４３は、開口部１３のなかでＨＤＤ収容部３２に隣接する開口縁から開口部１３の内側を向いて延びている。第２の支持壁４３は、筐体７の下壁７ｆに比べてＨＤＤカバー２３の厚さ分だけ筐体７の厚さ方向の内側に入り込むとともに、筐体７の下壁７ｆに平行に延びている。
【００２９】
第２の支持壁４３の右端部には、一対の係合凹部４４ａ，４４ｂが設けられている。係合凹部４４ａ，４４ｂは、ＨＤＤ収容部３２の外側を向いて窪む係合穴である。第２の支持壁４３の左端部には、ねじ孔４５が設けられている。
【００３０】
図２に示すように、ＨＤＤ収容部３２は、底壁４６、および側壁４７を有する。底壁４６は、ＨＤＤ収容部３２を筐体７の内部空間から隔てる内壁である。底壁４６には、図示しない電源コネクタおよびインターフェイスコネクタが設けられている。ＨＤＤ４２は、底壁４６に載置されることでＨＤＤ収容部３２に収容される。ＨＤＤ収容部３２に収容されたＨＤＤ４２は上記コネクタ類を介して本体２の電源および回路基板に電気的に接続される。側壁４７は、底壁４６の周縁から第２の支持壁４３を向いて延びるとともに、第２の支持壁４３の先端に繋がっている。
【００３１】
図２および図６に示すように、ＨＤＤ収容部３２の側壁４７のなかで筐体７の前壁７ｂに対向する部位は、バッテリー収容部３１の側壁３７のなかで筐体７の後壁７ｅに対向する部位と協働して、隔壁５１を形成している。隔壁５１は、収容部２１をバッテリー収容部３１とＨＤＤ収容部３２とに区画している。
【００３２】
図２に示すように、バッテリーカバー２２は、筐体７に着脱自在に取り付けられる。バッテリーカバー２２は、ユーザーが自由に取り外しをして良いユーザー開放の蓋である。バッテリーカバー２２は、第１の開口部１１に対応した矩形状に形成されている。
【００３３】
図２および図３に示すように、バッテリーカバー２２は、蓋本体５３、脚部５４、および起立壁５５を有する。図６に示すように、蓋本体５３は、表面５３ａと裏面５３ｂとを有する。表面５３ａは、バッテリーカバー２２が筐体７に取り付けられたとき、筐体７の下壁７ｆの外面７ｆａとともに筐体７の外表面の一部を構成する。脚部５４は、表面５３ａに設けられている。脚部５４は、円筒状をした突起であり、ポータブルコンピュータ１の使用時に例えば机の上などに設置される。
【００３４】
蓋本体５３の裏面５３ｂは、バッテリーカバー２２が筐体７に取り付けられたとき、筐体７の内部に露出する。蓋本体５３のなかで後縁を除く縁部５３ｃは、バッテリーカバー２２を筐体７に取り付けたとき、第１の支持壁３５に載置される。第１の支持壁３５が筐体７の下壁７ｆに対して段差を有することから、第１の支持壁３５に載置されたバッテリーカバー２２の表面５３ａは、下壁７ｆの外面７ｆａと同一面上に位置する。
【００３５】
蓋本体５３の裏面５３ｂのなかで周縁部より内側の部位には、起立壁５５が形成されている。起立壁５５は、裏面５３ｂから表面５３ａとは反対を向いて、すなわち筐体７の内側を向いて蓋本体５３から起立している。起立壁５５は、蓋本体５３の略全周に設けられている。
【００３６】
図２および図６に示すように、バッテリーカバー２２は、蓋本体５３の裏面５３ｂと起立壁５５の内周面により規程される部位に、バッテリー３４を保持する。バッテリー３４を保持したバッテリーカバー２２を筐体７に取り付けることで、バッテリー３４は、バッテリー収容部３１に収容される。バッテリー３４は、バッテリーカバー２２を筐体７から取り外す時、バッテリーカバー２２に伴ってバッテリー収容部３１から取り外される。すなわち、バッテリー３４は、バッテリーカバー２２の着脱に伴ってバッテリー収容部３１に着脱される。
【００３７】
図３に示すように、バッテリーカバー２２は、一対の爪部５６ａ，５６ｂを有する。爪部５６ａ，５６ｂは、バッテリー収容部３１の係合凹部３９ａ，３９ｂに対応して設けられる。一つの爪部５６ａは、起立壁５５のなかで筐体７の後壁７ｅに対向する壁面からバッテリーカバー２２の外側を向いて突出している。他方の爪部５６ｂは、蓋本体５３の左端部からバッテリーカバー２２の外側を向いて突出している。
【００３８】
一方、図２に示すように、起立壁５５のなかで筐体７の前壁７ｂに対向する壁面は、一対のガイド突起５７ａ，５７ｂを有する。ガイド突起５７ａ，５７ｂは、バッテリー収容部３１のガイド溝３８ａ，３８ｂに対応して設けられる。ガイド突起５７ａ，５７ｂは、起立壁５５からバッテリーカバー２２の外側を向いて突出している。蓋本体５３は、ロック機構４１に対応する部位にロック係合部５８を有する。ロック係合部５８は、ロック機構４１に係合する。
【００３９】
図２に示すように、ＨＤＤカバー２３は、バッテリーカバー２２の後端部の縁部５３ｄと重なるように筐体７に着脱自在に取り付けられる。ＨＤＤカバー２３は、ユーザーが自由に開閉することが好ましくないユーザー非解放の蓋である。ＨＤＤカバー２３は、ＨＤＤ収容部３２に対応した矩形状に形成されている。
【００４０】
図２および図６に示すように、ＨＤＤカバー２３は、蓋本体６１を有する。蓋本体６１は、表面６１ａ、裏面６１ｂ、および段差部６２を有する。表面６１ａは、ＨＤＤカバー２３が筐体７に取り付けられたとき、筐体７の下壁７ｆの外面７ｆａとともに筐体７の外表面の一部を構成する。表面の左端部には、ねじ孔６３が設けられている。
【００４１】
裏面６１ｂは、ＨＤＤカバー２３が筐体７に取り付けられたとき、筐体７の内部に露出される。裏面６１ｂのなかで前縁を除く縁部６１ｄは、ＨＤＤカバー２３を筐体７に取り付けたとき、第２の支持壁４３に載置される。第２の支持壁４３が筐体７の下壁７ｆに対して段差を有することから、第２の支持壁４３に載置されたＨＤＤカバー２３の表面６１ａは、下壁７ｆの外面７ｆａと同一面上に位置する。
【００４２】
図４に示すように、蓋本体６１の右周縁部は、一対の爪部６４ａ，６４ｂを有する。爪部６４ａ，６４ｂは、ＨＤＤ収容部３２の係合凹部４４ａ，４４ｂに対応して設けられる。爪部６４ａ，６４ｂは、蓋本体６１からＨＤＤカバー２３の外側を向いて突出している。
【００４３】
図４に示すように、蓋本体６１の前周縁部は、段差部６２を有する。段差部６２は、前周縁部の略全体に亘って設けられている。図６に示すように、段差部６２は、蓋本体６１の前周縁から、ＨＤＤカバー２３の表面６１ａから裏面６１ｂを向く方向に沿ってバッテリーカバー２２の厚さと略同じ距離だけ延びるとともに、その延伸端から裏面６１ｂと平行な方向に沿ってＨＤＤカバー２３の外側を向いて延びている。段差部６２のなかで裏面６１ｂと平行に延びる部位の上面は、バッテリーカバー２２を支持する載置面６２ａを形成する。
【００４４】
ＨＤＤカバー２３は、爪部６４ａ，６４ｂをＨＤＤ収容部３２の係合凹部４４ａ，４４ｂに係合させることで筐体７に取り付けられる。ＨＤＤカバー２３は、蓋本体６１の周縁部を第２の支持壁４３に載置するとともに、段差部６２を隔壁５１の上に載置するように筐体７に取り付けられる。すなわち、ＨＤＤカバー２３は、第２の支持壁４３から隔壁５１に亘って配置される。
【００４５】
蓋本体６１を第２の支持壁４３に載置した状態で、ねじをＨＤＤカバー２３のねじ孔６３から第２の支持壁４３のねじ孔４５までねじ込むことで、ＨＤＤカバー２３は、筐体７に固定される。これにより、ＨＤＤカバー２３は、第２の開口部１２を塞ぐとともに、ＨＤＤ収容部３２を覆う。
【００４６】
バッテリーカバー２２は、ＨＤＤカバー２３に対して筐体７の外側から重ねられる。すなわち、バッテリーカバー２２は、爪部５６ａ，５６ｂを係合凹部３９ａ，３９ｂに係合させ、爪部５６ａ，５６ｂを係合させた後、ガイド突起５７ａ，５７ｂをガイド溝３８ａ，３８ｂに沿わせる。これにより、バッテリーカバー２２は、第１の開口部１１を塞ぐとともに、バッテリー収容部３１を覆う。
【００４７】
バッテリーカバー２２の後縁を除く縁部５３ｃは、第１の支持壁３５に載置される。バッテリーカバー２２の後縁の縁部５３ｄは、ＨＤＤカバー２３の段差部６２に載置される。すなわち図５に示すように、バッテリーカバー２２およびＨＤＤカバー２３は、互いに隣り合うそれぞれの端部を互いに重ねて配置される。
【００４８】
具体的には、それぞれ矩形状に形成されたバッテリーカバー２２およびＨＤＤカバー２３の互いに隣り合う一辺が重なる。本実施形態に係るバッテリーカバー２２の縁部５３ｄは、この縁部５３ｄと隣り合うＨＤＤカバー２３の縁部６１ｃの略全部に亘って重なる。バッテリーカバー２２は、隔壁５１に載置されたＨＤＤカバー２３の端部から第１の支持壁３５に亘って配置される。
【００４９】
図６に示すように、隔壁５１は、筐体７の下壁７ｆからバッテリーカバー２２の厚さとＨＤＤカバー２３の段差部６２の厚さとを合算した値の距離を筐体７の下壁７ｆから筐体の厚さ方向の内側に入り込んでいる。したがって、隔壁５１に載置された段差部６２の載置面６２ａは、第１の支持壁３５の上面と同一面上に位置することになる。さらに、段差部の載置面６２ａに載置されたバッテリーカバー２２の表面５３ａは、下壁７ｆの外面７ｆａと同一面上に位置することになる。
【００５０】
次に、ポータブルコンピュータ１の作用について説明する。  
図６に示すように、ＨＤＤカバー２３の段差部６２は、バッテリーカバー２２と隔壁５１との間に介在される。したがって、ＨＤＤカバー２３は、バッテリーカバー２２を筐体７から取り外さない限り、筐体７から取り外すことはできない。すなわち、ユーザー開放の蓋がユーザー非開放の蓋の上に実装され、非開放の蓋は直接取り外せないようになっている。
【００５１】
このような構成のポータブルコンピュータ１によれば、筐体において蓋が占める面積が小さくなり、筐体の小型化を図ることができる。すなわち、図５に示すように、ポータブルコンピュータ１のバッテリーカバー２２とＨＤＤカバー２３とは互いにその一部を重ねて配置される。すなわち、ＨＤＤカバー２３は、バッテリーカバー２２の縁部５３ｄと重なるように筐体７に取り付けられる。したがって、バッテリーカバー２２とＨＤＤカバー２３とを並べて筐体７に取り付ける場合に比べて、少なくともこの重なっている部分の大きさだけ蓋２２，２３がその取り付けに必要とする面積が小さくなる。これにより、筐体７の小型化を図ることができる。
【００５２】
特に、バッテリーカバー２２の縁部５３ｄが、ＨＤＤカバー２３のなかでこのバッテリーカバー２２に隣り合う縁部６１ｃの略全部に重なると、蓋２２，２３がその取り付けに必要とする面積がさらに小さくなるので、筐体７の小型化をさらに図ることができる。
【００５３】
バッテリー収容部３１を覆うバッテリーカバー２２が、ＨＤＤ収容部３２を覆うＨＤＤカバー２３に対して筐体７の外側から重ねられる。したがって、ＨＤＤ収容部３２は、バッテリーカバー２２をまず取り外さない限り、筐体７の外部に開放されない。ＨＤＤ４２は、バッテリー３４に比べて取り外しの頻度が低い部品である。したがって、バッテリーカバー２２を外側に配置することは、ポータブルコンピュータ１の使い易さを向上させる。
【００５４】
ＨＤＤ収容部３２は、ユーザーに対して非解放の領域である。本実施形態に係るポータブルコンピュータ１では、ＨＤＤカバー２３がバッテリーカバー２２によって機械的にロックされており、まずバッテリーカバー２２を取り外した後でしかＨＤＤカバー２３を取り外すことができない。すなわちユーザー非解放のＨＤＤ収容部３２は、誤ったユーザーが容易に開けられないようになっている。これはポータブルコンピュータ１の信頼性を向上させることに寄与する。
【００５５】
ポータブルコンピュータ１は、上記のようにバッテリーカバー２２とＨＤＤカバー２３とによりロックが形成されており、別途ロック機構などを設ける必要がない。これは、ポータブルコンピュータ１の高密度実装、製造性、およびコストダウンの向上に寄与する。
【００５６】
第２の機能部品が第１の機能部品を第１の収容部から取り外した時その作動を停止する部品であると、ポータブルコンピュータの安全性が向上する。第２の機能部品を取り外す段階では、すでに第１の蓋が取り外され、第１の機能部品が取り外されていることが多いためである。
【００５７】
特に第１の機能部品が第１の蓋に保持されているとこの効果はさらに高まる。すなわち、第２の機能部品を取り外す時には、第１の蓋は必ず取り外されている。第１の機能部品が第１の蓋に保持されていれば、第２の機能部品を取り外す時には第１の機能部品は確実に第１の収容部から取り外されていることになる。
【００５８】
例えば、ＨＤＤ４２を取り外すときには、先にバッテリー３４が取り外されている。すなわち、ＨＤＤ４２が作動している最中にＨＤＤ４２を誤って取り外すような間違いを確実に防止することができる。換言すれば、ポータブルコンピュータ１は、ＨＤＤ４２を取り外す前にバッテリー３４を先に取り外させるよう作業を行う者に仕向けることができる。
【００５９】
筐体７が第１の支持壁３５および第２の支持壁４３を有するとともに、ＨＤＤカバー２３が段差部６２を有することで、互いに重なるバッテリーカバー２２とＨＤＤカバー２３とを確実に筐体７に取り付けることができる。
【００６０】
以上、一つの実施形態に係るポータブルコンピュータ１について説明したが、本発明はもちろんこれに限定されない。例えば、第２の収容部は、メモリカードを収容するカード収容部であっても良い。例えば第１の収容部がバッテリー収容部３１の場合、第２の収容部にメモリカードを増設する時にはバッテリー３４が常に取り外されているので、電源が供給中のメモリ拡張コネクタなどに触れるおそれがなく、ユーザーの安全性を高めることができる。ただし、第１の収容部および第２の収容部に収容される部品は、特にその種類は問わない。
【００６１】
第１の蓋および第２の蓋は、その一辺の略全部が重なる必要は無く、少なくともその一部同士が重なるように配置されれば、筐体７の小型化を図ることができる。本発明が適用可能な電子機器は、ポータブルコンピュータに限らず、例えば携帯電話機、デジタルカメラ、ビデオカメラ、パーソナルデジタルアシスタントでも良く、その種類は問わない。
【図面の簡単な説明】
【００６２】
【図１】本発明の一つの実施形態に係るポータブルコンピュータの斜視図。
【図２】図１中に示されたポータブルコンピュータの下壁を示す斜視図。
【図３】図２中に示されたバッテリーカバーの斜視図。
【図４】図２中に示されたＨＤＤカバーの斜視図。
【図５】図２中に示されたポータブルコンピュータの平面図。
【図６】図５中に示されたポータブルコンピュータのＡ−Ａ線に沿う断面図。
【符号の説明】
【００６３】
１…ポータブルコンピュータ、７…筐体、７ｆ…下壁、１１…第１の開口部、１２…第２の開口部、１３…開口部、２１…収容部、２２…バッテリーカバー、２３…ＨＤＤカバー、３１…バッテリー収容部、３２…ＨＤＤ収容部、３４…バッテリー、３５…第１の支持壁、４２…ＨＤＤ、４３…第２の支持壁、５１…隔壁、６２…段差部、６２ａ…載置面。
【図１】
2007179104.tif 000003
【図２】
2007179104.tif 000004
【図３】
2007179104.tif 000005
【図４】
2007179104.tif 000006
【図５】
2007179104.tif 000007
【図６】
2007179104.tif 000008